(57)【要約】【課題】高強度、高弾性率に加えて、「伸び」の性質を有する繊維強化複合材料を開発し、提供することである。また、これにより、従来の繊維強化複合材料における脆さや剥離の問題点を解決することである。【解決手段】強化繊維としてミノムシ絹糸を含む繊維強化複合材料を提供する。【選択図】なし【特許請求の範囲】
【請求項１】
ミノムシ絹糸を含む繊維強化複合材料用強化繊維。
【請求項２】
高分子マトリクス及びミノムシ絹糸を含む強化繊維を含む繊維強化複合材料。
【請求項３】
ミノムシ絹糸以外の有機繊維、無機繊維、又はその組み合わせをさらに含む、請求項２に記載の繊維強化複合材料。
【請求項４】
一又は複数の方向に配置されたミノムシ絹糸を含む、請求項２又は３に記載の繊維強化複合材料。
【請求項５】
全部又は一部がミノムシ絹糸で構成された織物、又は編物を含む、請求項４に記載の繊維強化複合材料。
【請求項６】
前記高分子マトリクスが樹脂、膠、デンプン、寒天、又はその組み合わせである、請求項２〜５のいずれか一項に記載の繊維強化複合材料。
【請求項７】
繊維強化複合材料におけるミノムシ絹糸の質量分率が0.5質量％〜50質量％である、請求項２〜６のいずれか一項に記載の繊維強化複合材料。
【発明の詳細な説明】
【技術分野】
【０００１】
本発明は、強化繊維としてミノムシ絹糸を含有する繊維強化複合材料、及びその製造方法に関する。
【背景技術】
【０００２】
強化繊維と母材を複合化した繊維強化複合材料は、炭素繊維強化プラスチック（CFRP：Carbon Fiber-Reinforced Plastics）やガラス繊維強化プラスチック（GFRP：Glass Fiber-Reinforced Plastics）に代表されるように、軽量、かつ高い強度と弾性率を有した材料である。このような高い強度と弾性率は、炭素繊維、ガラス繊維、アラミド繊維等の強化繊維の力学的性質に基づくところが大きい。例えば、強度を素材の質量で割った比強度において、炭素繊維は、鉄の約10倍の力学的特性を有することが知られている（非特許文献１）。このような力学的性質から、繊維強化複合材料は、金属に替わる材料として、スポーツ・レジャー用品、自動車、住宅、建築物、航空機に至る様々な分野で利用されている。
【０００３】
しかし、繊維強化複合材料で使用される従来の強化繊維は、いずれも「伸びない」という共通の性質を有していた。強化繊維におけるこの性質が、繊維強化複合材料の「脆さ」や強化繊維と母材の界面における「剥離」の主要な原因となっていた。特に母材が柔軟な性質を有するほど、繊維強化複合材料内での強化繊維との剥離は深刻な問題であった。
【０００４】
そこで、高強度及び高弾性率で、さらに伸びの性質を有する繊維を次世代強化繊維として繊維強化複合材料に利用することで、この問題を解決する試みがなされている。例えば、タフネスが非常に高く、かつ伸びの性質を有するクモ由来の糸（本明細書では、しばしば「クモ糸」と表記する）が、現在、強化繊維として注目されている（非特許文献２）。
【０００５】
しかし、クモ糸を実際に強化繊維として使用する場合、実施上、解決すべき点も多い。例えば、クモは大量飼育やクモから大量の糸を採取することが困難なことから、クモ糸は量産できず、生産コストが高いという問題がある。この問題は、現在、遺伝子組換え技術を用いて大腸菌やカイコにクモ糸を生産させることで、その解決が試みられている（特許文献１及び非特許文献３）。ただし、クモ糸の生産に使用する大腸菌やカイコは遺伝子組換え体であることから、所定の設備を備えた施設内でしか培養や飼育ができず、大量生産には大規模な生産施設が必要となる上に、維持管理の負担が大きくなるという新たな問題を伴う。また、大腸菌内で発現させたクモ糸タンパク質は液状のため、繊維に変換させる工程が必要となるが、現時点で天然繊維の力学特性を再現するような繊維化変換工程は見出されていない。また、工程数が多くなり、生産コストが高くなるという問題もあった。
【先行技術文献】
【特許文献】
【０００６】
【特許文献１】WO2012/165477
【非特許文献】
【０００７】
【非特許文献１】平松徹, よくわかる炭素繊維コンポジット入門, 日刊工業新聞社 2015, 第一章.
【非特許文献２】Mathijsen D., 2016, Reinforced Plastics, 60: 38-44.
【非特許文献３】Kuwana Y, et al., 2014, PLoS One, DOI: 10.1371/journal.pone.0105325
【発明の概要】
【発明が解決しようとする課題】
【０００８】
本発明の課題は、高強度、高弾性率を有し、さらに従来の繊維強化複合材料における「伸び」の性質を有する繊維強化複合材料を開発し、提供することである。これにより、従来の繊維強化複合材料における脆さや剥離の問題点を解決することを目的とする。
【課題を解決するための手段】
【０００９】
上記課題を解決するために、本発明者らは、ミノムシ（Basket worm, alias "bag worm")が吐糸する絹糸（本明細書では、しばしば「ミノムシ絹糸」と表記する）に着目した。ミノムシは、チョウ目（Lepidoptera）ミノガ科（Psychidae）に属する蛾の幼虫の総称で、通常は葉片や枝片を糸で絡めた紡錘形又は円筒形の巣（Bag nest）の中に潜み、摂食の際にも巣ごと移動する等、全幼虫期を巣と共に生活することが知られている。
【００１０】
このミノムシ絹糸は、強度と伸びをバランスよく兼ね備えており、カイコ絹糸やクモ糸よりも力学的に優れた特性をもつ。例えば、チャミノガ（Eumeta minuscula）のミノムシ絹糸であれば、弾性率に関してカイコ絹糸の3.5倍、またジョロウグモ（Nephila clavata）のクモ糸の2.5倍にも及ぶ（大崎茂芳, 2002, 繊維学会誌（繊維と工業）, 58: 74-78；Gosline J. M. et al., 1999, J. Exp. Biol. 202, 3295-3303）。さらに、本発明者らは、オオミノガ（Eumeta japonica）のミノムシ絹糸もカイコ絹糸やオニグモ由来のクモ糸と比較したときに同様の力学特性を有することを明らかにした（特願2017-110003）。例えば、弾性率はカイコ絹糸の約5倍、またクモ糸の3倍以上であった。さらに、破断強度はカイコ絹糸の3倍以上、またクモ糸の約2倍、そして破断伸度は、カイコ絹糸の1.3倍以上、またクモ糸にほぼ匹敵する値であった。特にタフネスはカイコ絹糸の4倍以上、またクモ糸の1.7倍以上に及び、天然繊維の中でも最高レベルのタフネスさを示すことが明らかとなっている。
【００１１】
飼育管理面においてもミノムシは、カイコよりも優れた点を有する。例えば、カイコは、原則としてクワ属（Morus）に属する種、例えば、ヤマグワ（M. bombycis）、カラヤマグワ（M. alba）、及びログワ（M. Ihou）等の生葉のみを食餌とするため、飼育地域や飼育時期は、クワ葉の供給地やクワの開葉期に左右される。これに対して、ミノムシは広食性で、餌葉に対する特異性が低く、多くの種類が様々な樹種の葉を食餌とすることができる。したがって、餌葉の入手が容易であり、飼育地域を選ばない。また、種類によっては、常緑樹の葉も餌葉にできるため、落葉樹のクワと異なり年間を通して餌葉の供給が可能となる。その上、ミノムシはカイコよりもサイズが小さいので、飼育スペースがカイコと同等以下で足り、大量飼育も容易である。したがって、カイコと比較して飼育コストを大幅に抑制することができる。
【００１２】
また、生産性においてもミノムシは、カイコよりも優れた点を有する。例えば、カイコは営繭時のみに大量に吐糸し、営繭は全幼虫で同時期に行われる。そのため採糸時期が重なり、労働期が集中してしまうという問題がある。一方、ミノムシは、幼虫期を通して営巣時や移動時に吐糸を繰り返し行っている。そのため採糸時期を人為的に調整することで、労働期を分散できるという利点がある。さらに、ミノムシ絹糸は野生型のミノムシからの直接採取が可能であり、クモ糸の生産のように遺伝子組換え体の作製や維持管理を必要としないという利点もある。
【００１３】
実際にミノムシ絹糸を強化繊維に用いた繊維強化複合材料は、弾性率が高分子マトリクス単体のときよりも10倍以上も向上することが明らかとなった。また、長繊維のミノムシ絹糸を用いた場合には、炭素繊維強化プラスチック（CFRP：Carbon Fiber-Reinforced Plastics）やガラス繊維強化プラスチック（GFRP：Glass Fiber-Reinforced Plastics）の解決課題であった低破断伸びの問題を著しく改善することができた。
【００１４】
本発明は、上記研究結果に基づくものであり、以下の発明を提供する。
（１）ミノムシ絹糸を含む繊維強化複合材料用強化繊維。
（２）高分子マトリクス及びミノムシ絹糸を含む強化繊維を含む繊維強化複合材料。
（３）1mm以上1m未満の短繊維からなるミノムシ絹糸を含む、（２）に記載の繊維強化複合材料。
（４）ミノムシ絹糸の絹紡糸を含む、（３）に記載の繊維強化複合材料。
（５）1m以上の長繊維からなるミノムシ絹糸を含む、（２）又は（４）に記載の繊維強化複合材料。
（６）強化繊維としてミノムシ絹糸以外の有機繊維、無機繊維、又はその組み合わせをさらに含む、（２）〜（５）のいずれかに記載の繊維強化複合材料。
（７）一又は複数の方向に配置されたミノムシ絹糸を含む、（４）〜（６）のいずれかに記載の繊維強化複合材料。
（８）全部又は一部がミノムシ絹糸で構成された織物、又は編物を含む、（７）に記載の繊維強化複合材料。
（９）前記高分子マトリクスが樹脂、膠、デンプン、寒天、又はその組み合わせである、（２）〜（８）のいずれかに記載の繊維強化複合材料。
（１０）繊維強化複合材料におけるミノムシ絹糸の質量分率が0.5質量％〜50質量％である、（２）〜（９）のいずれかに記載の繊維強化複合材料。
（１１）強化繊維と高分子マトリクスを接触させる接触工程を含み、前記強化繊維がミノムシ絹糸を含む、繊維強化複合材料の製造方法。
（１２）型を用いて強化繊維及び／又は高分子マトリクスを所望の形状に成形する成形工程、及び高分子マトリクスの重合反応を促進及び／又は完了させる硬化工程を含む、（１１）に記載の製造方法。
（１３）型から完成した繊維強化複合材料を取り出す脱型工程をさらに含む、（１２）に記載の製造方法。
【発明の効果】
【００１５】
本発明の繊維強化複合材料によれば、高強度、高弾性率を有し、従来のCFRPやGFRPにはない「伸び」の性質を有する繊維強化複合材料を提供することができる。
【図面の簡単な説明】
【００１６】
【図１】BSF繊維含有量と弾性率又は強度との関係を示す図である。（A）BSF繊維含有率と差弾性率の関係、及び（B）BSF繊維含有率と差強度の関係をそれぞれ示す。
【図２】ミノムシ絹糸の熱分解評価試験の結果を示す図である。N2 flowは窒素置換雰囲気下、Air flowは大気雰囲気下を示す。
【発明を実施するための形態】
【００１７】
１．強化繊維
１-１．概要
本発明の第１の態様は、強化繊維である。本発明の強化繊維は、繊維強化複合材料用強化繊維であって、ミノムシ絹糸を含むことを特徴とする。本発明の強化繊維によれば、高強度、及び高弾性率、さらに伸びの特性を繊維強化複合材料に付与することができる。
【００１８】
１−２．定義
本明細書で頻用する用語を以下で定義する。
「繊維強化複合材料」とは、2種類以上の異なる素材、すなわち強化繊維と母材が互いに融合することなく、分離した状態で一体的に組み合わさった材料をいう。
【００１９】
本明細書において「強化繊維」とは、繊維強化複合材料における繊維基材をいう。一般的に強化繊維は、繊維強化複合材料に強度を付与する強化材であるが、本明細書では、繊維強化複合材料に強度、弾性率、及び伸びの少なくとも一以上を付与する強化材をいう。
【００２０】
本明細書において「母材」とは、「マトリクス」とも言われ、繊維強化複合材料における支持基材をいう。母材は、繊維強化複合材料において、通常、強度を付与される側となる。しかし、本明細書の強化繊維は、強化繊維自体が強化剤となるだけでなく、母材もまた強化繊維間を充填する充填材として強化繊維に強度を付与する強化材になり得る。つまり、本発明の繊維強化複合材料では、各構成素材がそれぞれの利点を高め合い、及び／又は欠点を相互に補完し合う。それによって、元の素材にはなかった新たな特性を有した繊維強化複合材料を得ることができる。
【００２１】
本明細書において「高分子マトリクス」とは、有機高分子及び／又は無機高分子からなる母材をいう。
【００２２】
本明細書で「絹糸」とは、昆虫の幼虫や成虫が営巣、移動、固定、営繭、餌捕獲等の目的で吐糸するタンパク質製の糸をいう。本明細書の絹糸は、単繊維、吐糸繊維、絹紡糸、及び集合繊維を包含する。
【００２３】
本明細書で「単繊維」とは、絹糸を構成する最小単位のフィラメント（モノフィラメント）糸であって、後述する吐糸繊維からセリシンタンパク質等の被覆成分を除去して得られるフィブロインタンパク質等の繊維成分をいう。単繊維は、原則として天然状態では存在せず、吐糸繊維に精練処理を行うことによって得られる。
【００２４】
本明細書で「吐糸繊維」とは、昆虫が吐糸した状態の絹糸をいう。例えば、ミノムシの吐糸繊維は、単繊維2本1組が被覆成分で結合したジフィラメントで構成されている。
【００２５】
本明細書で「絹紡糸」とは、後述する短繊維の絹糸を紡いで得られるスパン糸をいう。
本明細書で「集合繊維」とは、複数の絹糸繊維束で構成された繊維で、マルチフィラメントとも呼ばれる。本明細書の集合繊維は、単繊維、吐糸繊維、絹紡糸、又はそれらの組み合わせで構成される。本明細書の集合繊維は、ミノムシ絹糸のみのように同一生物種由来の絹糸のみで構成されたものや、ミノムシ絹糸とカイコ絹糸のように由来の異なる複数種の絹糸で構成された混合繊維も包含する。なお、ミノムシ絹糸等が由来する生物種は問われるものではない。また、集合繊維は、加撚繊維だけでなく、無撚繊維も包含する。
【００２６】
なお、本明細書で単に絹糸と記載した場合には、特に断りがない限りミノムシ絹糸を意味する。
【００２７】
「ミノムシ」とは、前述のようにチョウ目（Lepidoptera）ミノガ科（Psychidae）に属する蛾の幼虫の総称をいう。ミノガ科の蛾は世界中に分布するが、いずれの幼虫（ミノムシ）も全幼虫期を通して、自ら吐糸した絹糸で葉片や枝片等の自然素材を綴り、それらを纏った巣の中で生活している。巣は全身を包むことのできる袋状で、紡錘形、円筒形、円錐形等の形態をなす。ミノムシは、通常、この巣の中に潜伏しており、摂食時や移動時も常に巣と共に行動し、蛹化も原則として巣の中で行われる。
本明細書で「ミノムシ絹糸」とは、ミノムシが吐糸する絹糸をいう。
【００２８】
１−３．構成
本発明の強化繊維は、ミノムシ絹糸を含む。本発明の強化繊維として使用するミノムシ絹糸が由来するミノガの種類は問わない。例えば、ミノガ科には、Acanthopsyche、Anatolopsyche、Bacotia、Bambalina、Canephora、Chalioides、Dahlica、Diplodoma、Eumeta、Eumasia、Kozhantshikovia、Mahasena、Nipponopsyche、Paranarychia、Proutia、Psyche、Pteroma、Siederia、Striglocyrbasia、Taleporia、Theriodopteryx、Trigonodoma等の属が存在するが、いずれの属に属する種であってもよい。ミノガの種類の具体例として、オオミノガ（Eumeta japonica）、チャミノガ（Eumeta minuscula）、及びシバミノガ（Nipponopsyche fuscescens）が挙げられる。また、幼虫（ミノムシ）の齢は、初齢から終齢のいずれも対象となる。また、雌雄も問わない。ただし、より太く長いミノムシ絹糸を得る目的であれば、大型のミノムシである方が好ましい。例えば、ミノガ科内では大型種ほど好ましい。したがって、より太く長いミノムシ絹糸を得る観点から、オオミノガ及びチャミノガは、本発明で使用するミノムシとして好適な種である。さらに、同種内であれば終齢幼虫ほど好ましく、さらに大型となる雌の方が好ましい。
【００２９】
ミノムシ絹糸には、足場絹糸と巣絹糸が存在するが、強化繊維として使用するミノムシ絹糸は、そのどちらであってもよく、また両者の混合物であってもよい。「足場絹糸」とは、ミノムシが移動に先立ち吐糸する絹糸で、移動の際に枝や葉等から落下するのを防ぐための足場としての機能を有する。「巣絹糸」とは、巣を構成する絹糸で、葉片や枝片を綴るためや、居住区である巣内壁を快適な環境にするために吐糸される。一般に、巣絹糸よりも足場絹糸の方が太く、力学的にも強靭であることから、強化繊維として、より好ましい。
【００３０】
強化繊維として使用するミノムシ絹糸の長さは問わない。例えば、短繊維（短繊維絹糸）、長繊維（長繊維絹糸）、又はその組み合わせが挙げられる。
【００３１】
本明細書で「短繊維」とは、長軸の長さが1.0mm以上1m未満、1.5mm以上80cm未満、2mm以上60cm未満、2.5mm以上50cm未満、3mm以上40cm未満、3.5mm以上30cm未満、4mm以上20cm未満、4.5mm以上10cm未満、及び5.0mm以上5cm未満の絹糸をいう。例えば、足場絹糸や巣絹糸の断片が該当する。強化繊維として短繊維絹糸を使用する場合、短繊維絹糸は、それを紡いだ絹紡糸として使用してもよいし、個々の短繊維絹糸を繊維強化複合材料中に分散するように配置して使用してもよく、またその組み合わせで使用してもよい。
【００３２】
本明細書で「長繊維」とは、繊維長が1m以上、2m以上、好ましくは3m以上、より好ましくは4m以上、5m以上、6m以上、7m以上、8m以上、9m以上、又は10m以上の絹糸をいう。長繊維絹糸は、繊維長が上記の長さ以上であれば単繊維や吐糸繊維のようなフィラメント糸や絹紡糸のようなパイル糸、又はその組み合わせのいずれであってもよい。長繊維絹糸の繊維長の上限は特に制限はしない。パイル糸の場合は、その長さは紡績によって無制限に伸長することができる。一方、フィラメント糸の場合は、繊維長はミノムシが連続して吐糸できる絹糸の長軸の長さに相当する。例えば、1.5km以下、1km以下、900m以下、800m以下、700m以下、600m以下、500m以下、400m以下、300m以下、200m以下、又は100m以下である。しかし、ミノムシ特有の生態により、ミノムシ絹糸で1m以上のフィラメント糸を得ることは、既存の技術ではこれまで不可能とされてきた。カイコの場合、営繭は連続吐糸によって行われるため、繭を精練し、操糸すれば、フィラメント糸の長繊維絹糸を得ること比較的容易である。しかし、ミノムシは、幼虫期の居住区である巣の中でそのまま蛹化するため、カイコのように蛹化前に営繭行動を行わない。また、ミノムシの巣は、原則として初齢時から成長に伴い増設されるため、巣には新旧の絹糸が混在している。加えて、ミノムシの巣の長軸における一方の末端には、ミノムシ頭部及び胸部の一部を露出させて、移動や摂食をするための開口部が存在し、他方の末端にも糞等を排泄するための排泄孔が存在する。つまり、常に2つの孔が存在するため、絹糸が巣内で断片化され、不連続になっている。このように、ミノムシの巣自体が、比較的短い絹糸が絡まり合って構成されているため、通常の方法では巣からフィラメント糸の長繊維絹糸を得ることができない。ミノムシの足場絹糸は、比較的連続的に吐糸されるものの、移動用の足掛かりであることからジグザグ状に吐糸され、またその移動も虫任せのため、絹糸が複雑に絡み合い、回収できても繰糸が困難であった。しかし、本発明者らは、特定の幅を有する線状路にミノムシを配置することで、線状路にほぼ並行した状態で足場絹糸をミノムシに吐糸させる方法を開発し、長繊維のミノムシ絹糸を安定的に量産することに成功している（特願2017-110003）。
【００３３】
長繊維絹糸を使用する場合、ミノムシ絹糸の配向は限定しない。フィラメント糸やパイル糸からなる複数の繊維束を一方向に、又は二以上の複数方向に配置することによって、ミノムシ絹糸を、紐状、シート状、又は立体構造状にすることができる。
【００３４】
ミノムシ絹糸の繊維束を一方向に配置する例として、直線的に引き揃えて平面配置する場合（UD材）や、ミノムシ絹糸の繊維束に連続的なループ（コース）を形成させながら、隣り合う繊維束のループにそれを係止して、縦方向のループ（ウェール）を繋いで平面（シート）を形成させる編物（ニット）等が挙げられる。編物は、その構造上、生地自体に伸縮性がある。しかし、従来の主要な強化繊維である炭素繊維やガラス繊維は、ループ状に湾曲させると折損してしまうため、編物にすることが困難であった。一方、ミノムシ絹糸は、繊維の柔軟性から織物の作製が容易である。ミノムシ絹糸の編物を強化繊維に用いることで、絹糸自身の「伸び」という力学的特性に加えて、編物の伸縮性が加わり、従来の強化繊維複合材料にはない、優れた性質を得ることができる。
【００３５】
ミノムシ絹糸の繊維束を二方向に配置する例として、織物や組物等のテキスタイルが挙げられる。織物とは、縦糸と横糸を交差させて平面（シート）を形成させたものである。織物の場合、縦糸と横糸が互いに直交する平織、又は互いに斜めに交差する綾織のいずれであってもよい。組物とは、複数の繊維を組み合わせて紐状又は帯状にしたもので、組紐、織紐、編紐等を包含する。一具体例として、例えば、組紐は、複数の繊維を芯金（マンドレル）に沿って円筒形状に組み、紐状構造（組紐）を形成させたものである。
【００３６】
さらにミノムシ絹糸の繊維束をランダムに3方向以上に配置して平面（シート）形成させた不織布が挙げられる。
【００３７】
本発明の強化繊維は、ミノムシ絹糸のみから構成されていてもよいが、本発明の効果を妨げない範囲内で、異なる一以上の他の強化繊維をさらに含んでいてもよい。他の強化繊維には、ミノムシ絹糸以外の有機繊維、又は無機繊維が挙げられる。有機繊維には、セルロースを主成分とする綿や麻等の植物性天然繊維、カイコ等の家蚕又はヤママユガ科（Saturniidae）の蛾の幼虫である野蚕等の昆虫から得られる絹糸及びクモ糸等の動物性天然繊維、及びアラミド、ポリアミド（ナイロンを含む）、ポリエステル、ポリエチレン、アクリル、レーヨン等の合成繊維が挙げられる。無機繊維には、炭素繊維、ガラス繊維、金属繊維（ステンレス、チタン、銅、アルミニウム、ニッケル、鉄、タングステン、モリブデン等）、及び非晶質繊維（セラミックファイバー、ロックウール等）が挙げられる。ミノムシ絹糸と他の強化繊維を組み合わせることで、強化繊維どうしによる相乗効果を得ることができる。例えば、CFRPの強化繊維である炭素繊維やGFRPの強化繊維であるガラス繊維は、極めて高い強度と弾性率を誇るが、伸びの性質がないため靱性が低く脆い。一方、ミノムシ絹糸も高い強度及び弾性率を有するが、炭素繊維やガラス繊維のそれには及ばない。しかし、ミノムシ絹糸は、炭素繊維やガラス繊維にはない伸びの性質を有する。そこで、ミノムシ絹糸と炭素繊維及び／又はガラス繊維とを組み合わせることで、強化繊維として両者の長所を活かし、かつ欠点を補完し合うことが可能となる。ミノムシ絹糸と炭素繊維及び／又はガラス繊維とを組み合わせた強化繊維を用いることにより強度と弾性率が極めて高く、かつ伸びの性質を有する繊維強化複合材料を製造することができる。
【００３８】
本発明の強化繊維が、ミノムシ絹糸に加えて異なる他の強化繊維を含む場合、繊維強化複合材料に用いる際の強化繊維中のミノムシ絹糸の含有率は限定しない。1％以上、3％以上、5％以上、8％以上、10％以上、15％以上、20％以上、25％以上、30％以上、35％以上、40％以上、45％以上、50％以上、55％以上、60％以上、65％以上、70％以上、75％以上、80％以上、85％以上、90％以上、92％以上、95％以上、97％以上、98％以上、又は99％以上の含有率であってもよい。
【００３９】
強化繊維が、ミノムシ絹糸に加えて他の強化繊維も含む場合であって、他の強化繊維も長繊維絹糸を使用する場合、他の強化繊維の配向等については、原則として上記ミノムシ絹糸の配向と同じで良い。したがって、その具体的な説明については省略する。
【００４０】
２．繊維強化複合材料
２−１．概要
本発明の第２の態様は、繊維強化複合材料である。本発明の繊維強化複合材料は、第１態様に記載の繊維強化複合材料用強化繊維、すなわちミノムシ絹糸を含む強化繊維を繊維基材として使用することを特徴とする。本発明によれば、高強度、高弾性率を有し、さらに従来のCFRPやGFRPにはなかった伸びの特性を有する繊維強化複合材料を提供することができる。
【００４１】
２−２．構成
２−２−１．構成成分
本発明の繊維強化複合材料は、高分子マトリクス及びミノムシ絹糸を含む強化繊維を必須の構成成分として含む。
【００４２】
（高分子マトリクス）
高分子マトリクスは、有機高分子及び／又は無機高分子からなる母材をいうところ、本発明の繊維強化複合材料に使用する高分子マトリクスは、有機高分子、及び無機高分子のいずれか、又は両方を含むものである。ここでいう有機高分子には、天然高分子と合成高分子が含まれる。
【００４３】
天然高分子は、自然界に存在する高分子で、例えば、タンパク質、多糖類、天然樹脂が該当する。タンパク質の具体例としては、膠（コラーゲン、ゼラチンを含む）が挙げられる。また、多糖類の具体例としては、デンプン、セルロース、マンナン、寒天等が挙げられる。さらに、天然樹脂の具体例としては、漆、ロジン、ラテックス（天然ゴム）、セラック等が挙げられる。
【００４４】
合成高分子は、モノマーを縮重反応や付加重合反応によって連結して得られる高分子で、例えば、合成樹脂、合成ゴム等が挙げられる。
【００４５】
合成樹脂は、プラスチックとも呼ばれる。本発明の繊維強化複合材料において高分子マトリクスとして使用する合成樹脂は、熱硬化性樹脂、熱可塑性樹脂、又はそれらの組み合わせのいずれであってもよい。熱硬化性樹脂には、エポキシ樹脂、不飽和ポリエステル樹脂、ビニルエステル樹脂、フェノール樹脂等が挙げられる。また、熱可塑性樹脂には、ポリエチレン、ポリプロピレン、ポリエステル、ポリスチレン、ポリ塩化ビニル、メタクリル樹脂、フッ素樹脂、ポリカーボネート、ポリウレタン、芳香族ポリエーテルケトン樹脂、ポリフェニレンサルファイド樹脂等が挙げられる。
【００４６】
合成ゴムには、ブタジエンゴム、クロロプレンゴム、スチレンブタジエンゴム、イソプレンゴム、エチレンプロピレンゴム、ニトリルゴム、シリコーンゴム、アクリルゴム、フッ素ゴム、ウレタンゴム等が挙げられる。
【００４７】
（強化繊維）
本発明の繊維強化複合材料に使用する強化繊維は、前記第１態様に記載の強化繊維、すなわち、ミノムシ絹糸を含む強化繊維である。この強化繊維の具体的な構成については、第１態様において詳述していることから、ここでの説明は省略する。
【００４８】
（成分比）
本発明の繊維強化複合材料における強化繊維と高分子マトリクスの配合比率は限定しない。通常は、目標とする強化繊維の特性である高強度、高弾性率や伸び等に応じて、母材である高分子マトリクスに付与できる比率で配合すればよい。本発明の繊維強化複合材料では、高強度、高弾性率に加えて、ミノムシ絹糸の特性である伸びを高分子マトリクスに付与できる配合比率が好ましい。具体的には、繊維強化複合材料の全乾燥質量に対するミノムシ絹糸の質量分率が0.5質量％〜50質量％、0.8質量％〜40質量％、1質量％〜35質量％、1.5質量％〜30質量％、2質量％〜28質量％、又は3質量％〜25質量％である。
【００４９】
２−２−２．構造
本発明の繊維強化複合材料の構造、すなわち繊維強化複合材料における強化繊維と高分子マトリクスの配置は特に限定しない。例えば、短繊維の強化繊維が高分子マトリクス内及び／又は表面に分散した状態、高分子マトリクス層と強化繊維層が積層され一体化した状態、シート状の強化繊維に液状の高分子マトリクスを含浸させたプリプレグ、そして強化繊維の配向が異なるように複数のプリプレグ等を積層し、構造物として一体化した状態等が挙げられる。なお、プリプレグは、繊維強化複合材料の中間材料であるが、本明細書では繊維強化複合材料に包含する。
【００５０】
２−３．効果
本発明の繊維強化複合材料は、強化繊維としてミノムシ絹糸を含むことにより、従来の繊維強化複合材料であるCFRPやGFRPにはない伸びの特性を示す繊維強化複合材料を提供することができる。
【００５１】
２−４．用途
本発明の繊維強化複合材料は、従来の繊維強化複合材料の用途をはじめとする様々な分野で利用することができる。例えば、スポーツ・レジャー（ゴルフシャフト、ラケット、釣竿、自転車部品等）、住宅（浴槽、浄化槽等）、土木建築（耐震補強材、軽量建材、壁、床補強材、トラス構造材等）、輸送機器（自動車、船、飛行機、ヘリコプター、高圧水素タンク等）、工業機材（筐体、家電部品、プリント基板、風力発電羽根等）、宇宙関連（ロケット、人工衛星等）が挙げられる。特に本発明の繊維強化複合材料は、従来の繊維強化複合材料には見られない伸びの特性を有することから、強度、弾性率に加えて、伸びを必要とする材料分野での使用が好適である。
【００５２】
また、使用する強化繊維をミノムシ絹糸のみ、又はミノムシ絹糸と他の絹糸とし、高分子マトリクスをコラーゲン、ゼラチン等の天然有機高分子とした場合、生体親和性の高い繊維強化複合材料となる。それ故に、組織再生基材や血管再生基材等として医療分野でも利用することができる。
【００５３】
３．繊維強化複合材料製造方法
３−１．概要
本発明の第３の態様は、繊維強化複合材料の製造方法である。本発明の方法は、第２態様に記載の繊維強化複合材料の製造及び／又は成形方法である。本発明の製造方法によれば、ミノムシ絹糸を含む繊維強化複合材料を容易に製造、及び成形することができる。
【００５４】
３−２．方法
本発明の繊維強化複合材料の製造方法は、強化繊維にミノムシ絹糸を用いることを除けば、基本製法は従来の繊維強化複合体の製造方法に準ずる。例えば、長繊維ミノムシ絹糸を強化繊維として用いる場合には、通常、CFRPやGFRPで使用される製造方法をそのまま利用することができる。製造方法には様々な方法が知られているが、用途や形状等の目的に応じて適切な方法を選択すればよい。
【００５５】
例えば、プリプレグの製造方法は、ミノムシ絹糸を含む強化繊維の織物、編物、又は不織布に適当な高分子マトリクスを含浸させればよい。高分子マトリクスが熱硬化性樹脂の場合、重合が未完了の半硬化プリプレグとなる。一方、高分子マトリクスが熱可塑性樹脂やコラーゲン等の天然高分子の場合、重合が完了した硬化プリプレグとなる。
【００５６】
また、主な成形法として、フィラメントワインディング（Filament winding）成形法、シートワインディング（Sheet winding）成形法、プレス成形法、オートクレーブ成形法、RTM（Resin Transfer Molding）成形法、VaRTM（Vacuum Resin Transfer Molding）成形法、SMC（Sheet Molding Compound）成形法、真空バック（Vacuum bag）成形法、ハンドレイアップ（Hand lay-up）成形法、及びファイバープレースメント（Fiber placement）成形法等が挙げられる。
【００５７】
「フィラメントワインディング成形法」は、トウ（1000本〜数万本のフィラメント糸の束）を1〜数十本引き揃えて、高分子マトリクスを含浸させながら回転する金型（マンドレル）に巻き付け、硬化後に脱芯する成形法で、管状製品の成形に適した方法である。
「シートワインディング成形法」は、フィラメントワインディング成形法と基本工程は同じであり、トウに代えてプリプレグをマンドレルに巻き付け、硬化後に脱芯する成形法である。「プレス成形法」は、コンパウンドやプリプレグを型に入れて加圧及び加熱して成形する方法である。「オートクレーブ成形法」は、プリプレグを型に積層した後、バッグで覆い、オートクレーブ内に存在する空気や揮発性物質を真空除去し、加圧及び加熱して成形する方法である。「RTM成形法」は、樹脂注入成形法ともよばれ、型の中に強化繊維のプリフォームを配置した密閉系に溶融した熱硬化性樹脂を低圧下で導入し、加熱硬化後、脱型する方法である。「VaRTM成形法」は、RTM法の一種で、強化繊維を積層した密閉系を真空化し、熱硬化性樹脂を導入し、加熱硬化後、脱型する方法である。「SMC成形法」は、強化繊維と高分子マトリクスで構成されるシート状材料を積層して成形する方法である。「真空バック成形法」は、密閉されたフィルムでシールされた積層物を真空にすることで大気圧により圧縮成型する方法である。「ハンドレイアップ成形法」は、プリプレグを成形型に手作業で積層して、硬化成形する方法である。そして、「ファイバープレースメント成形法」とは、テープ状に加工したプリプレグや高分子マトリクスを含浸したトウを様々な三次元形状の型に積層し、硬化成形する方法である。これらの成形法の具体的な方法は、いずれも繊維強化複合材料の分野で公知の方法であり、それを参考にすればよい。
【００５８】
短繊維ミノムシ絹糸を強化繊維として用いる場合にも、基本的な操作は、従来の繊維強化複合材料の製造方法と同様に行えばよい。例えば、溶融した高分子マトリクス中に短繊維ミノムシ絹糸を分散し、両者を接触させた後、所望の型にその混合物を導入して、硬化、成形する方法が挙げられる。高分子マトリクス表面に短繊維の強化繊維を分散した後、加熱圧着によって一体化させ、高分子マトリクス層と強化繊維層からなる構造物としてもよい。
【００５９】
３−３．製造工程
本発明の繊維強化複合材料の製造方法の製造工程は、接触工程を必須工程として含み、必要に応じて成形工程、硬化工程、及び脱型工程を含む。以下、各工程を具体的に説明する。
【００６０】
（１）接触工程
「接触工程」とは、強化繊維と高分子マトリクスを接触させる工程である。両成分が直接接触できれば接触方法は特に限定されない。溶解した液状の高分子マトリクスに強化繊維を分散、浸漬、又は含浸してもよいし、SMC成形法のように強化繊維の繊維束又はシートを高分子マトリクスのシート間に挟み込んでもよい。
【００６１】
前述のプリプレグは、強化繊維で構成されるシートに高分子マトリクスを含浸させたものであり、その工程は、接触工程のみで構成される。
【００６２】
（２）成形工程
「成形工程」は、繊維強化複合材料の構成成分である強化繊維及び／又は高分子マトリクスを所望の形状に成形する工程をいう。本工程は選択工程であり、各種製法に応じて実行される。
【００６３】
本工程では、金型等の型を利用し、その型に合わせて成形を行う。必要に応じて強化繊維やプリプレグを積層して成形することもできる。成形工程と前述の接触工程の順番は、製法によって異なり限定しない。例えば、前述のフィラメントワインディング成形法、シートワインディング成形法、プレス成形法、オートクレーブ成形法、ハンドレイアップ成形法、ファイバープレースメント成形法等は、接触工程後に成形工程が行われる。一方、RTM成形法やVaRTM成形法は、金型で強化繊維のプリフォームを成形後、高分子マトリクスを金型内に導入するため成形工程後に接触工程が行われる。それぞれの製法に応じて行えばよい。
【００６４】
（３）硬化工程
「硬化工程」は、前記工程後に高分子マトリクスの重合反応を促進及び／又は完了させる工程をいう。本工程により高分子マトリクスが硬化し、繊維強化複合材料が完成する。硬化工程は、加熱ステップ及び／又は冷却ステップを含み得る。
【００６５】
「加熱ステップ」は、高分子マトリクスを加熱することによって重合反応を促進及び／又は完了させるステップである。高分子マトリクスに熱硬化性樹脂を使用する場合に実行される。一方、高分子マトリクスが熱可塑性樹脂や天然高分子の場合には、加熱により重合が解除されて逆に軟化又は溶解することから、本ステップは前記接触工程や成形工程に該当し得る。
【００６６】
加熱温度は、特に限定されない。使用する高分子マトリクスの種類によって異なるが、通常は、20℃〜250℃、23℃〜200℃、25℃〜180℃、27℃〜150℃、又は30℃〜120℃の範囲で行えばよい。また加熱時間は、加熱温度に関連し、一般に温度が低いほど時間は長くなり、高いほど短くなる。通常は0.5時間〜48時間、1時間〜42時間、1.5時間〜36時間、2時間〜30時間、2.5時間〜24時間、又は3時間〜18時間の範囲で行えばよい。
【００６７】
「冷却ステップ」は、加熱した高分子マトリクスを冷却する、又は冷却により硬化させるステップである。高分子マトリクスに熱硬化性樹脂を使用した場合、加熱ステップで熱硬化反応が完了した繊維強化複合材料を冷却する際に実行される。また、高分子マトリクスに熱可塑性樹脂や天然高分子を使用した場合には、冷却により重合反応が促進及び／又は完了し、高分子マトリクスの硬化により繊維強化複合材料が完成する。
【００６８】
冷却温度も限定はしない。使用する高分子マトリクスの種類によって異なるが、通常は、260℃以下、200℃以下、180℃以下、150℃以下、120℃以下、100℃以下、90℃以下、80℃以下、70℃以下、60℃以下、50℃以下、40℃以下、35℃以下、30℃以下、27℃以下、25℃以下、23℃以下、20℃以下、18℃以下、15℃以下、又は10℃以下で行えばよい。下限温度は特に限定はしないが、通常は、4℃、0℃、−10℃、−15℃、又は-20℃程度で良い。また冷却時間は、0.1時間〜1時間、0.2時間〜0.9時間、0.3時間〜0.8時間、0.4時間〜0.7時間、又は0.5時間〜0.6時間の範囲で行えばよい。
【００６９】
（４）脱型工程
「脱型工程」は、前記硬化工程後の繊維強化複合材料を型から外す工程である。具体的には、本工程で、成形工程時に使用した金型やマンドレルから完成した繊維強化複合材料を抜き出す。脱型方法は、当該分野で公知の方法に従えばよい。
【実施例】
【００７０】
＜実施例１：ミノムシ絹糸を強化繊維とする繊維強化複合材料の製造（１）＞
（目的）
ミノムシ絹糸を強化繊維として含む繊維強化複合材料を作製し、その物性を検証する。
【００７１】
（方法）
強化繊維にはミノムシ絹糸の長繊維束を、高分子マトリクスにはエチレン・酢酸ビニル共重合体（ethylene-vinylacetate copolymer: EVA）樹脂を用いた。
【００７２】
ミノムシ絹糸の長繊維束は、特願2017-110003の明細書に記載の方法に準じて調製した。ミノムシは、茨城県つくば市内の果樹農園で採集したオオミノガの終齢幼虫を使用した。特願2017-110003の明細書の実施例１に記載の略方形の金属缶をミノムシ絹糸の長繊維生産装置として使用した。この金属缶側面に相当する板状部材の上方には、線状路面が上方を向いた幅1.7mm、周長1.1mの閉環状の線状路を備えている。この線状路にミノムシを配置して、ミノムシが線状路上に吐糸しながら周回するのを確認した後、そのまま室温に放置した。2日後、ミノムシを装置から回収し、前記線状路上に積層されたミノムシ絹糸を剥離器で剥離して、全長約150mに及ぶミノムシ絹糸が周長1.1mのリング状に束ねられた、150本以上の単繊維からなる長繊維束を回収した。続いて、その長繊維束を0.05mol/Lの沸騰炭酸ナトリウム水溶液で2分間精練した。純水で洗浄した後、風乾したものを強化繊維として使用した。
【００７３】
EVA樹脂にはホットガン用接着樹脂（太洋電器産業(株)）を用いた。金型の代用として、0.5mm厚のシリコンゴムシートで作製した縦35mm、横10mmの型枠を作製し、EVA樹脂を型枠内に配置した後、1〜2MPaにて加圧プレスしてEVA樹脂シートを2枚作製した。次に、EVA樹脂シート間に調製したミノムシ絹糸の長繊維束（bag worm silk fiber: BSF）、又は対照用として炭素繊維(carbon fiber: CF）を強化繊維として挟み、100℃に加熱した二枚の熱板で1〜2MPaにて加圧プレスした後、冷却し、ミノムシ絹糸の長繊維束（BSF)とEVA樹脂からなる繊維強化複合材料（BSF/EVA複合材料）と炭素繊維（CF)とEVA樹脂からなる繊維強化複合材料（CF/EVA複合材料）を得た。同時に陰性対照用として強化繊維を含まず、シートを2枚のみを加圧プレスしたEVA樹脂単体も作成した。
【００７４】
得られたシートから、強化繊維に沿って試験片を切り出して後述する力学試験に供した。また、その試験片の総質量に対する強化繊維の質量分率を繊維含有率（質量％：wt％）として算出した。
【００７５】
（結果）
BSF/EVA複合材料とEVA樹脂の力学試験結果（n=3）を表１に示す。
【００７６】
【表１】
2019044117.tif 000002
【００７７】
表１において、「弾性率」は、初期弾性率を意味する。これは、試料を引張った際に、力と変形量が比例する関係、すなわちフックの法則を満たす変形域での比例定数に相当し、応力ひずみ曲線の初期勾配の傾きとして与えられる。一般に数値が大きいほど引張り応力に対する変形が小さく、硬い性質であることを意味する。また、「最大強度」は、破断に至る直前の最大応力をいう。一般に数値が大きいほど強い応力に耐えられることを意味する。さらに、「ひずみ」は、破断伸度を意味し、これは試料が破断するまでの伸びをいう。一般に数値が大きいほどよく伸びることを意味する。「差弾性率」、及び「差強度」は、樹脂単体と繊維複合体における弾性率、及び最大強度の差分を示す。
【００７８】
BSF/EVA複合材料では、弾性率及び最大強度は、EVA樹脂単体の場合と比較して、著しい増加が見られた。これは、BSF/EVA複合材料がEVA樹脂単体の場合よりも硬く、そして強いことを示唆している。また、繊維含有率に対する差弾性率（A）と差強度（B）の値をプロットしたところ、図１で示すように、いずれの場合も繊維含有率の増加と共に高い相関性をもって直線的に増加することが確認された。これらの結果から、ミノムシ絹糸を強化繊維に用いることで、EVA樹脂に硬さ（高弾性率）と強さ（高強度）を付与できることが確認された。
【００７９】
さらに、BSF/EVA複合材料のひずみ（破断伸び）は、測定した3回全ての値が30%を超えた（表１）。これらの結果は、ミノムシ絹糸を繊維強化複合材料の強化繊維として用いることで、従来の炭素繊維やガラス繊維を強化繊維としたときの問題点であった低破断伸びの問題を著しく改善できることを示唆している。
【００８０】
以上の結果から、ミノムシ絹糸は約2wt%程度の僅かな繊維含有率で高分子マトリクスの強度、弾性率、及び破断伸び等の力学特性を効率的に向上し、また、その繊維含有率を変えることで、力学特性への寄与を制御できることが明らかとなった。
【００８１】
＜実施例２：ミノムシ絹糸を強化繊維とする繊維強化複合材料の製造（２）＞
（目的）
ミノムシ絹糸を強化繊維として、実施例１とは異なる高分子マトリクスを用いた繊維強化複合材料を作製し、その物性を検証する。
【００８２】
（方法）
実施例１で用いたEVA樹脂は、数倍に延伸可能な軟質樹脂であった。そこで、本実施例では、EVA樹脂に比べて伸びが小さく、破断伸びが約5%しかない硬質樹脂であるポリスチレン樹脂（PS樹脂）（栄研化学株式会社）を高分子マトリクスに用いた繊維強化複合材料（BSF/PS複合材料）を調製し、実施例１と同様の方法でその力学特性を検証した。
【００８３】
基本的条件は、実施例１の方法に従った。ただし、加圧プレス条件は、150℃下で10MPa〜12MPaとした。
【００８４】
（結果）
BSF/PS複合材料及びPS樹脂単体の力学試験結果を表２に示す。
【００８５】
【表２】
2019044117.tif 000003
【００８６】
表２から、PS樹脂単体では5.2%しかないひずみ（破断伸び）が、ミノムシ絹糸の繊維束を複合化したBSF/PS複合材料では、33.8%にまで向上した。この結果は、繊維強化複合材料に用いる高分子マトリクスが、ミノムシ絹糸よりも低破断伸びを示す硬質樹脂であっても、ミノムシ絹糸が有する高破断伸びの特性を付与できることが明らかとなった。
【００８７】
＜実施例３：ミノムシ絹糸の短繊維を強化繊維とする繊維強化複合材料の製造＞
（目的）
ミノムシ絹糸の短繊維を強化繊維としたときの繊維強化複合材料の物性を検証する。
【００８８】
（方法）
強化繊維としてミノムシ絹糸の短繊維を、また高分子マトリクスにはポリビニルアルコール（polyvinyl alcohol：PVA）（ウエハラ化学）を用いた。
【００８９】
ミノムシ絹糸の単繊維を長軸が約5mmの長さとなるように切断し、短繊維化した。その後、短繊維をPVA水溶液に分散させて、スライドガラス上で成形し、BSF/PVA複合材料としてのフィルムを得た。繊維含有率は、フィルムの総乾燥質量に対するミノムシ絹糸の短繊維の質量分率とした。フィルムから短冊状の試験片を切り取り、以降の力学試験に供した。
【００９０】
（結果）
繊維含有率3.74wt%のBSF/PVA複合材料の弾性率は184.1MPaであり、PVA樹脂単体（弾性率14.1MPa）と比較して、10倍以上の向上が見られた。この結果は、ミノムシ絹糸が短繊維の場合であっても、繊維強化複合材料に非常に高い弾性率を付与できることを示唆している。
【００９１】
＜実施例４：ミノムシ絹糸の熱分解評価試験＞
（目的）
繊維強化複合材料の製造では、高分子マトリクスの重合を解除又は促進するために加熱処理が含まれ得る。例えば、高分子マトリクスが熱可塑性樹脂の場合、加熱によって樹脂は重合が解除されるために軟化又は溶解し、逆に熱硬化性樹脂の場合、加熱によって樹脂は重合が促進されるために硬化する。いずれの場合にも、繊維強化複合材料の製造下では高分子マトリクスと共に強化繊維も高温下に曝露される。ミノムシ絹糸はタンパク質であることから、耐性温度を超えて加熱した場合、繊維自体が変性や分解等を生じてしまい、発明の効果を奏し得なくなる可能性がある。そこで、ミノムシ絹糸における熱耐性温度を調べる。
【００９２】
（方法）
ミノムシ絹糸を130℃〜300℃の各温度で1時間処理し、その後、熱分解による質量損失率（％）を熱重量分析（TGA）測定により評価した。実験は、窒素置換雰囲気下（N2 flow）及び大気雰囲気下（Air flow）で行った。
【００９３】
（結果）
図２に結果を示す。窒素置換雰囲気下では、260℃で1時間処理しても熱による質量損失は10%以下であった。これは、ミノムシ絹糸が260℃以下であれば熱分解の影響をほとんど無視でき、同時に260℃に加熱しても本発明の強化繊維複合材料を製造し得ることを示唆している。
【図１】
2019044117.tif 000004
【図２】
2019044117.tif 000005